(57)【要約】【課題】省スペースで取り付け可能であり、事前準備および取り付け作業の工数を低減することができる防水ケースを提供することである。【解決手段】本発明に係る防水ケース１０は、コネクタ６２およびケーブル６４を挟み込む防水ケース１０であって、半円筒形であり対で用いることによりコネクタ６２またはケーブル６４を挟み込む少なくとも１対の防水材１４と、各々の防水材１４と組み合わされ、組み合わされた防水材１４と同一の長さを有し、当該防水材１４を内面に保持する半円筒形の少なくとも１対の保持ケース１２と、ロック機構３６を有し、少なくとも１対の保持ケース１２を包み込んで当該ロック機構３６をロックさせ、少なくとも１対の防水材１４および少なくとも１対の保持ケース１２をコネクタ６２およびケーブル６４に固定する外部ケース１６とを備えることを特徴とする。【選択図】図１
2013020787.tif 000002
【特許請求の範囲】
【請求項１】
コネクタおよびケーブルを挟み込む防水ケースであって、
半円筒形であり対で用いることによりコネクタまたはケーブルを挟み込む少なくとも１対の防水材と、
前記各々の防水材と組み合わされ、組み合わされた前記防水材と同一の長さを有し、当該防水材を内面に保持する半円筒形の少なくとも１対の保持ケースと、
ロック機構を有し、前記少なくとも１対の保持ケースを包み込んで当該ロック機構をロックさせ、前記少なくとも１対の防水材および前記少なくとも１対の保持ケースを前記コネクタおよび前記ケーブルに固定する外部ケースと
を備えることを特徴とする防水ケース。
【請求項２】
前記防水材は、各々の１対の防水材の厚みおよび長さを、１対の防水材が挟み込む部分の前記コネクタまたは前記ケーブルの形状に適した厚みおよび長さとすることを特徴とする請求項１に記載の防水ケース。
【請求項３】
前記防水材の円周方向の長さは、当該防水材を内面に有する前記保持ケースの円周方向の長さよりも長いことを特徴とする請求項１または２に記載の防水ケース。
【請求項４】
前記保持ケースは、当該保持ケースの内面に切り返しを備え、前記外部ケースとともに当該保持ケースを回転させることにより、前記防水材を切り裂くことを特徴とする請求項１乃至３のいずれか１項に記載の防水ケース。
【発明の詳細な説明】
【技術分野】
【０００１】
本発明は、一般に防水ケースに関し、特にコネクタおよびケーブルを挟み込む防水ケースに関するものである。
【背景技術】
【０００２】
無線通信用の基地局などは屋外に設置されることがあるため、基地局装置の筐体外部に接続されるコネクタ付きケーブルは、コネクタとケーブルの接続部において防水処置が施される。
【０００３】
図１１は、従来の防水手法の一例を示す図である。図１１（ａ）は防水処置を施す前の状態を示し、図１１（ｂ）は防水処置を施した状態を示す。図１１（ｂ）に示すように、筐体６６に接続されたコネクタ６２およびコネクタ６２に接続されたケーブル６４に対し、防水テープ６８を巻きつけることにより防水処置を施すことができる。
【０００４】
また、防水テープ６８の巻きつけ以外の防水手法として、ケーブルの形状に合わせた形状の溝状のスペーサを備えた防水ケースによりケーブルを防水する方法（特許文献１参照）や、コネクタの形状に合わせた一体型の防水材を備える防水ケースによりコネクタを防水する方法（特許文献２参照）などが知られている。
【先行技術文献】
【特許文献】
【０００５】
【特許文献１】実開平４−４７３４４号公報
【特許文献２】特開２００５−３５３４４８号公報
【発明の概要】
【発明が解決しようとする課題】
【０００６】
図１１に示すような防水テープを巻きつける防水手法は、各々のコネクタ６２に防水テープを巻きつける必要があるため作業工数が増大する。また、防水テープを取り外すときも、各々のコネクタ６２から防水テープをはがす必要があるため、やはり作業工数が増大する。さらに、防水テープを巻きつけるためには、コネクタ６２間のスペースを充分に確保する必要があるため、コネクタ６２間には広いスペースが必要となり省スペース化に不向きという問題もある。
【０００７】
特許文献１や２に示されるような防水ケースは、多種多様なサイズのコネクタ６２やケーブル６４に対して、それぞれに適合するサイズの防水ケースを事前に作成して準備しておく必要があるため、事前準備の作業工数が増大する。また、多様なコネクタ６２やケーブル６４の各々に対して、多種多様な防水ケースを作成することは、コストアップの要因にもなる。
【０００８】
したがって、かかる点に鑑みてなされた本発明の目的は、省スペースで取り付け可能であり、事前準備および取り付け作業の工数を低減することができる防水ケースを提供することである。
【課題を解決するための手段】
【０００９】
上記目的を達成する第１の観点に係る防水ケースの発明は、
コネクタおよびケーブルを挟み込む防水ケースであって、
半円筒形であり対で用いることによりコネクタまたはケーブルを挟み込む少なくとも１対の防水材と、
前記各々の防水材と組み合わされ、組み合わされた前記防水材と同一の長さを有し、当該防水材を内面に保持する半円筒形の少なくとも１対の保持ケースと、
ロック機構を有し、前記少なくとも１対の保持ケースを包み込んで当該ロック機構をロックさせ、前記少なくとも１対の防水材および前記少なくとも１対の保持ケースを前記コネクタおよび前記ケーブルに固定する外部ケースと
を備えることを特徴とする。
【００１０】
第２の観点に係る発明は、前記防水材は、各々の１対の防水材の厚みおよび長さを、１対の防水材が挟み込む部分の前記コネクタまたは前記ケーブルの形状に適した厚みおよび長さとすることを特徴とする。
【００１１】
第３の観点に係る発明は、前記防水材の円周方向の長さは、当該防水材を内面に有する前記保持ケースの円周方向の長さよりも長いことを特徴とする。
【００１２】
第４の観点に係る発明は、前記保持ケースは、当該保持ケースの内面に切り返しを備え、前記外部ケースとともに当該保持ケースを回転させることにより、前記防水材を切り裂くことを特徴とする。
【００１３】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【発明の効果】
【００１４】
本発明によれば、省スペースで取り付け可能であり、事前準備および取り付け作業の工数を低減することができる防水ケースを提供することができる。
【図面の簡単な説明】
【００１５】
【図１】本発明の一実施形態に係る防水ケースを示す図である。
【図２】本発明の一実施形態に係る保持ケースおよび防水材を示す図である。
【図３】本発明の一実施形態に係る保持ケースおよび防水材を示す図である。
【図４】本発明の一実施形態に係る外部ケースを示す図である。
【図５】本発明の一実施形態に係る保持ケースおよび防水材を示す図である。
【図６】本発明の一実施形態に係る防水ケースを示す図である。
【図７】本発明の一実施形態に係る保持ケース内部の切り返しを示す図である。
【図８】本発明の一実施形態に係る防水ケースの断面を示す図である。
【図９】本発明の一実施形態に係る保持ケース内部の切り返しを示す図である。
【図１０】本発明の一実施形態に係る防水ケースによりコネクタに防水処置を施す様子を示す図である。
【図１１】従来技術によりコネクタに防水処置を施す様子の一例を示す図である。
【発明を実施するための形態】
【００１６】
以下、本発明に係る一実施形態について、図面を参照して説明する。
【００１７】
図１は、本発明の一実施形態に係る防水ケース１０がコネクタ６２およびコネクタ６２に接続されたケーブル６４を挟み込んで防水する様子を示す図である。
【００１８】
図１（ａ）は、コネクタ６２およびコネクタ６２に接続されたケーブル６４を示す。図１（ｂ）は、図１（ａ）にて示したコネクタ６２およびケーブル６４を防水ケース１０が挟み込むようにして全体を包み防水する様子を示す。防水ケース１０は、内側から順に防水材１４、保持ケース１２および外部ケース１６を積み重ねた構造である。
【００１９】
図１（ｃ）は、筐体６６に接続されているコネクタ６２およびケーブル６４を防水ケース１０が挟み込む様子を示す図である。図１（ｃ）は、防水ケース１０の構造の理解を容易にするため、防水ケース１０の断面を示したものであり、また、防水ケース１０をコネクタ６２およびケーブル６４から離した状態で示している。実際は、防水ケース１０は、防水材１４の内面がコネクタ６２またはケーブル６４に密着した状態で使用される。
【００２０】
１つの防水ケース１０において、複数の種類の防水材１４が、コネクタ６２やケーブル６４の形状に合わせて用いられる。図１（ｃ）に示す例においては、３種類の形状の防水材１４が用いられている。コネクタ６２の径が太い部分においては、それに合わせて薄い防水材１４が用いられ、コネクタ６２の径が細い部分においては、それに合わせて厚い防水材１４が用いられる。また、ケーブル６４はコネクタ６２の径が細い部分よりもさらに細いため、それに合わせてさらに厚い防水材１４が用いられる。
【００２１】
防水材１４の長さについてもコネクタ６２やケーブル６４に適したものが用いられる。コネクタ６２を挟み込む防水材１４については、コネクタ６２の各部分の長さに合わせたものが用いられ、ケーブル６４を挟み込む防水材１４については、適当な長さのものが選択される。
【００２２】
各々の形状の防水材１４は、厚みや長さは異なるもののいずれも半円筒形であり、同一形状の２つの防水材１４を対として用いてコネクタ６２やケーブル６４を挟み込む。
【００２３】
防水材１４に用いる材料としては、例えば、その弾性や防水性により防水用途に適しているシリコン樹脂系のような材料を用いることができる。
【００２４】
保持ケース１２は、防水材１４と同様に半円筒形であり、その内側に防水材１４を保持する。各々の保持ケース１２は、各々が内側に保持する防水材１４と同じ長さである。保持ケース１２と防水材１４とは組み合わせて用いられ、１つの保持ケース１２は、その内側に１つの防水材１４を保持する。
【００２５】
外部ケース１６は、保持ケース１２を包み込むようにして防水材１４をコネクタ６２およびケーブル６４に固定する。外部ケース１６は、簡単にロックできるようにロック機構を有する。ロック機構については後述する。
【００２６】
図２は、保持ケース１２の内側にサイズの異なる防水材１４が保持されている様子を示す。図２（ａ）は太径用の防水材１４を示す図であり防水材１４の厚さは薄い。図２（ｂ）は細径用の防水材１４を示す図であり、図２（ｂ）の防水材１４の厚さは図２（ａ）の防水材１４の厚さに比べて厚い。
【００２７】
図３は、図２に示した保持ケース１２および防水材１４を保持ケース１２の外側から見た様子を示す。図３（ａ）は太径用の防水材１４の場合であり、図３（ｂ）は細径用の防水材１４の場合である。図３（ａ）および（ｂ）のいずれにも示されているように、保持ケース１２は外側の面に突起３２を有する。突起３２は、外部ケース１６の内側の面にある窪み３４と嵌め合わせることにより、保持ケース１２を外部ケース１６に固定するためのものである。外部ケース１６の窪み３４については後述する。図３(ａ)および（ｂ）においては、いずれも、保持ケース１２の外側の面に突起３２が４つある場合を示しているが、これは一例であり、突起３２の個数は保持ケース１２を外部ケース１６に固定するために適した任意の個数とすることができる。
【００２８】
図４は、外部ケース１６の構造を示す。図４(ａ)は、外部ケース１６を開いた状態を内側から見た様子を示す。外部ケース１６は、半円筒形の部品を２つ組み合わせたものであり、ロック機構３６を備える。外部ケース１６は、内面に窪み３４を有する。窪み３４には、上述した保持ケース１２の突起３２が嵌め合わされ、保持ケース１２が外部ケース１６に固定される。
【００２９】
図４（ｂ）は、外部ケース１６の断面図である。図４（ａ）および（ｂ）に示すように、外部ケース１６のロック機構３６の一例として、片方を板状の部品に穴を開けたもの、他方を突起とし、これらを組み合わせることによりロックする機構とすることができる。
【００３０】
図５（ａ）は、保持ケース１２が内側に防水材１４を保持する状態の半円筒分の断面を示す図である。図５（ａ）において、領域Ａとして楕円で囲った部分を拡大したものが図５（ｂ）である。図５（ｂ）に示すように、防水材１４の方が保持ケース１２よりも円周方向の長さが長くなるようにすることができる。すなわち、保持ケース１２の断面が半円状であり、防水材１４の断面が半円よりも円周方向の長さが長い形状とすることができる。
【００３１】
図５（ａ）および（ｂ）に示すような構造とすることにより、防水ケース１０によってコネクタ６２およびケーブル６４を挟み込んだときの防水材１４の密着度を向上させることができる。
【００３２】
図６に、厚みおよび長さの異なる３種類の形状の防水材１４を組み合わせて防水ケース１０を組み立てる様子を示す。図６（ａ）は、それぞれ防水材１４の厚みおよび長さが異なる３対の防水材１４を示し、各々の防水材１４は保持ケース１２の内側に保持されている。また、開いている状態の外部ケース１６も示す。
【００３３】
図６（ｂ）は、外部ケース１６の内側の窪み３４に保持ケース１２の外側の突起３２を嵌め込んだ状態を示す。図６（ｂ）に示すように、積み重ねた防水材１４の間に隙間ができないように、防水材１４は密着した状態で積み重ねられる。
【００３４】
図６（ｃ）は、図６（ｂ）の状態から外部ケース１６を閉じて、外部ケース１６のロック機構３６をロックさせた状態を示す。図６（ｃ）においては、防水ケース１０は、コネクタ６２およびケーブル６４を挟み込んでいないが、実際には、コネクタ６２およびケーブル６４を挟み込むことにより、防水ケース１０は、コネクタ６２およびケーブル６４を防水することができる。
【００３５】
図７は、防水ケース１０のコネクタ６２およびケーブル６４からの取り外しを容易にするために、保持ケース１２の内側に切り返し３８を備えたものを示す図である。図７（ａ）は、保持ケース１２を内側から見た図であり、保持ケース１２は、図に示すように板状の切り返し３８を内側に備える。図７（ｂ）は、切り返し３８を有する保持ケース１２の断面を示す図である。
【００３６】
図８に、切り返し３８を有する保持ケース１２の内側に防水材１４が保持されている様子の断面図を示す。保持ケース１２が固定されている外部ケース１６を矢印の方向に回転させると、保持ケース１２は外部ケース１６とともに矢印の方向に回転し、保持ケース１２内部の切り返し３８は防水材１４に食い込んで防水材１４を切り裂く。これにより、コネクタ６２およびケーブル６４に密着している防水材１４の取り外しを容易にすることができる。
【００３７】
図９は、保持ケース１２が、内側に切り返し３８を複数有する実施形態を示す図である。このように、切り返し３８の枚数を増やすことにより、保持ケース１２は、より細かく防水材１４を切り裂くことが可能になる。図９（ａ）は保持ケース１２を内側から見た図であり、図９（ｂ）は保持ケース１２の断面図である。
【００３８】
図１０は、筐体６６に接続されているコネクタ６２およびケーブル６４に防水ケース１０をセットする様子を示す。図１０（ａ）は、防水ケース１０をセットする前の状態を示し、図１０（ｂ）は、防水ケース１０をセットした状態を示す。
【００３９】
このように、本実施形態によれば、防水ケース１０はコネクタ６２およびケーブル６４を挟み込んでロック機構３６をロックするだけで取り付けることができ、コネクタ６２間に広いスペースを必要とせず省スペースで取り付けることができる。
【００４０】
また、複数のサイズの防水材１４を組み合わせて用いることにより、特定のコネクタ形状やケーブル形状に特化した専用の防水ケースを事前に準備しなくても、種々の形状のコネクタ６２およびケーブル６４に対して、防水処置を施すことができる。
【００４１】
また、防水材１４の円周方向の長さを保持ケース１２の円周方向の長さよりも長くすることにより、防水ケース１０をコネクタ６２およびケーブル６４にセットしたときの密着度を向上させることができる。
【００４２】
また、保持ケース１２の内側に切り返し３８を備えることにより、コネクタ６２およびケーブル６４から防水材１４を容易に取り外すことができるようにすることができる。
【００４３】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、上述の実施例においては、半円筒形の防水材を例として用いたが、円筒を３分割や４分割などのように整数分割したものを用いてもよい。
【符号の説明】
【００４４】
１０  防水ケース
１２  保持ケース
１４  防水材
１６  外部ケース
３２  突起
３４  窪み
３６  ロック機構
３８  切り返し
【図１】
2013020787.tif 000003
【図２】
2013020787.tif 000004
【図３】
2013020787.tif 000005
【図４】
2013020787.tif 000006
【図５】
2013020787.tif 000007
【図６】
2013020787.tif 000008
【図７】
2013020787.tif 000009
【図８】
2013020787.tif 000010
【図９】
2013020787.tif 000011
【図１０】
2013020787.tif 000012
【図１１】
2013020787.tif 000013